(57)【要約】【課題】本考案はＵＳＢポートを設けて電子装置に対して電源を提供したり、充電させたりすることが出来ると共に、トラッキング現象や漏電などの発生が防止でき、便利に使用できる家具用電源コンセントを提供することを目的とする。【解決手段】家具Ｋに装着する電源コンセントであって、略長方形状のコンセント本体１に、その長手方向の両端から横方向に突出する取付片1aを設け、且つ、コンセント本体１の上部には少なくとも、プラグ差込口２とＵＳＢポート３とを設け、且つ、ＵＳＢポート３に基盤６を連結した構造とする。又、プラグ差込口２に、これを常時閉じるスライド可能な閉鎖板４を備えると共にＵＳＢポート３に、これを開閉するスライド板５を備えるのが好ましく、またプラグ差込口２を複数設け、各プラグ差込口２には閉鎖板４が弾発的に備え、コンセント本体１の上部に合成樹脂製のカバー８を備えると良い。【選択図】図２
0003172236.tif 000002
【実用新案登録請求の範囲】
【請求項１】
家具（Ｋ）に装着する電源コンセントであって、略長方形状のコンセント本体（１）に、その長手方向の両端から突出する取付片（1a）を設け、且つ、前記コンセント本体（１）の上部に少なくとも、プラグ差込口（２）とＵＳＢポート（３）とを設け、且つ、前記ＵＳＢポート（３）に基盤（６）を連結したことを特徴とする家具用電源コンセント。
【請求項２】
前記プラグ差込口（２）に、これを常時閉じるスライド可能な閉鎖板（４）を備えると共に前記ＵＳＢポート（３）に、これを開閉するスライド板（５）を備えた請求項１記載の家具用電源コンセント。
【請求項３】
前記プラグ差込口（２）を複数設け、各前記プラグ差込口（２）には前記閉鎖板（４）が弾発的に備えられた請求項１又は２記載の家具用電源コンセント。
【請求項４】
前記コンセント本体（１）の上部に合成樹脂製のカバー（８）が備えられた請求項１記載の家具用電源コンセント。
【請求項５】
前記閉鎖板（４）がコイルスプリング（41）によって弾発的に付勢された請求項２又は３記載の家具用電源コンセント。
【考案の詳細な説明】
【技術分野】
【０００１】
本考案は机やテーブル等の家具に装着して使用する家具用電源コンセントに関し、特にはプラグ差込口とＵＳＢポートが設けられた家具用電源コンセントに関する。
【背景技術】
【０００２】
従来、数個のプラグ差込口とＵＳＢポートが設けられたコンセントとしては、実用新案登録番号第３１２７３１０号の「マルチコンセント電気装置」や特開２０００−２４３５２２の「電源付き集合コネクター」などが提案されている。しかしながら、これらは家具に装着して使用するものではなく、且つ、幼児が差込口に金属物を差し込んで感電する恐れがあるものであった。尚、家具に取付けたコンセントにＵＳＢポートが設けられたものは、従来にはなかった。
【０００３】
又、プラグ差込口に付着堆積するゴミやチリによってトラッキング現象が生じないように、差込口の表面を挿脱可能に被覆する「プラグ受カバー」が、特開２００５−２３５７４７で提案されている。しかしながら、これは防塵するのが目的であり、見た目が悪く、見栄えを良くするものではなかった。
【先行技術文献】
【特許文献】
【０００４】
【特許文献１】実用新案登録番号第３１２７３１０号公報
【特許文献２】特開２０００−２４３５２２号公報
【特許文献３】特開２００５−２３５７４７号公報
【考案の概要】
【考案が解決しようとする課題】
【０００５】
本考案はＵＳＢポートを設けて電子装置に対して電源を提供したり、充電させたりすることが出来る家具用電源コンセントを提供することを目的とする。
【０００６】
本考案の他の目的は、トラッキング現象や漏電などの発生が防止でき、便利に使用できる家具用電源コンセントを提供するにある。
【課題を解決するための手段】
【０００７】
本考案は上記現状に鑑み成されたものであり、つまり、家具に装着する電源コンセントであって、略長方形状のコンセント本体に、その長手方向の両端から横方向に突出する取付片を設け、且つ、コンセント本体の上部には少なくとも、プラグ差込口とＵＳＢポートとを設け、且つ、ＵＳＢポートに基盤を連結した構造とする。又、プラグ差込口に、これを常時閉じるスライド可能な閉鎖板を備えると共にＵＳＢポートに、これを開閉するスライド板を備えたものとするのが好ましく、またプラグ差込口を複数設け、各プラグ差込口には閉鎖板が弾発的に備えられることが好ましく、コンセント本体の上部に合成樹脂製のカバーを備えると良く、更に閉鎖板がコイルスプリングによって弾発的に付勢されるものとするのが良い。
【考案の効果】
【０００８】
請求項１のように略長方形状のコンセント本体（１）に、その長手方向の両端から突出する取付片（1a）を設け、且つ、コンセント本体（１）の上部には少なくとも、プラグ差込口（２）とＵＳＢポート（３）とを設け、且つ、ＵＳＢポート（３）に基盤（６）を連結させた構成とすることにより、電子装置に対して電源を提供したり、充電させたりすることができ、便利に使用できる非常に使い勝手が良い家具用電源コンセントを得ることが可能となった。
【０００９】
請求項２のようにプラグ差込口（２）に、これを常時閉じるスライド可能な閉鎖板（４）を備えると共にＵＳＢポート（３）に、これを開閉するスライド板（５）を備えることにより、トラッキング現象や漏電などの発生が防止でき、又、プラグ差込口（２）とＵＳＢポート（３）には、スライド可能な閉鎖板（４）と開閉するスライド板（５）が備えられているので、常時開口する部分がなくなるため、ゴミやチリ及び水分が付着することが防止でき、幼児が差込口に金属物を差し込んで感電する事故の発生も防止することが出来るものとなった。
【００１０】
請求項３に示すようにプラグ差込口（２）を複数設け、各プラグ差込口（２）には閉鎖板（４）が弾発的に備えられることにより、プラグ差込口（２）は常時閉じているため、防塵効果及び差し込み側に水が浸入することを防止する防水効果により、トラッキング現象の発生を防止することが出来ると共に水を使う台所や洗面所などに配置するテーブルに本考案のコンセントを装着して使用すれば、トラッキング現象や漏電などの発生を心配することなく安心して使用できるものとなる。
【００１１】
請求項４に示すようにコンセント本体（１）の上部に合成樹脂製のカバー（８）が備えられることにより、その上面がすっきりして見栄えを良くすることが可能なものとなる。
【００１２】
請求項５のように閉鎖板（４）をコイルスプリングによって弾発的に付勢させることにより、簡単な構造で防塵効果及び防水効果が得られ、トラッキング現象の発生や漏電などを防止することが出来るものとなる。
【図面の簡単な説明】
【００１３】
【図１】本実施形態の基本を示す平面図である。
【図２】本考案の実施形態の要部を示す説明図である。
【図３】本実施形態の平面図である。
【図４】本実施形態のカバーを外した状態を示す平面図である。
【図５】本実施形態のスライド枠体を外した状態を示す説明図である。
【図６】本考案の作用を示す説明図である。
【考案を実施するための形態】
【００１４】
本考案の実施形態を図１〜図６に基づいて説明する。（１）は机やテーブル及び棚などの家具（Ｋ）の上面や側面などに埋設または挿入して装着する略長方形状で合成樹脂製のコンセント本体であり、該コンセント本体（１）に、その長手方向の両端から横方向に突出する取付片（1a）を設け、その取付片（1a）にはビス（1b）用の取付穴が穿設されている。また図２に示す円形状の５つの取付穴は、図示しない側板を取付けるためのものである。（２）はコンセント本体（１）の上部に設けた２個のプラグ差込口であり、該プラグ差込口（２）は一般的なものを用いれば良い。尚、プラグ差込口（２）の個数は２個に限定されるものではない。（３）はコンセント本体（１）の上部に設けたＵＳＢポートであり、該ＵＳＢポート（３）はユニバーサルシリアルバス規格のコネクターに対応するものを用いるのが好ましい。尚、本考案の基本実施形態としては、以上の構造の他に、少なくとも後述する基盤（６）と電源コード（９）があれば良い（図１参照）。
【００１５】
（４）は各プラグ差込口（２）に弾発的に備えられた合成樹脂製の閉鎖板であり、該閉鎖板（４）の両側（図４に於いて図中の上下方向）がガイドされて横方向にスライド可能に配置されると共に後述するスライド枠体（７）に装着された弾発用のコイルスプリング（41）によって付勢されている（図２参照）。また閉鎖板（４）はプラグ差込口（２）と同様な四角形状の２つの貫通穴を有しているが、コイルスプリング（41）によって、貫通穴１個分ずらした位置に来るように押圧されている。つまり、プラグ差込口（２）が常時閉じた状態となる。（５）はＵＳＢポート（３）に備えた開閉するスライド板であり、該スライド板（５）の両側（図４に於いて図中の上下方向）がガイドされて横方向にスライド可能に配置され、そのスライド量はＵＳＢポート（３）が開閉できる長さ分確保されている。（６）はＵＳＢポート（３）に連結した基盤であり、該基盤（６）は、一般家庭用電源１００ボルトをＵＳＢコネクターに使用する電源に変換するためのものである。尚、前記基盤（６）はＵＳＢポート（３）に連結する一般的なものを用いれば良い。
【００１６】
（７）はコンセント本体（１）の上部に取付ける合成樹脂製のスライド枠体であり、該スライド枠体（７）には、閉鎖板（４）とスライド板（５）が所定距離スライド出来る長さの四角形状の穴（71），（72）が穿設されていると共に閉鎖板（４）の弾発用のコイルスプリング（41）を内蔵する収納部が設けられており、且つ、閉鎖板（４）とスライド板（５）をスライド可能にガイドする図示しないガイド部が設けられ、更に複数の取付穴が穿設されている。（８）はコンセント本体（１）の上部に備えられた合成樹脂製のカバーであり、該カバー（８）には少なくとも、閉鎖板（４）とスライド板（５）が所定距離スライド出来る長さの略四角形状の穴が穿設されている（図３参照）。（９）は一般的な電源コードである。
【００１７】
次に本考案の閉鎖板（４）とスライド板（５）の作用を図６に基づいて説明する。図６（ａ）の状態は、プラグ差込口（２）は閉鎖板（４）によって閉じており、ＵＳＢポート（３）はスライド板（５）によって閉じている。本考案を使用する場合について説明する。先ずプラグ差込口（２）に電源プラグを差し込む場合について説明する。先ず始めに図示しない電源プラグを手で持ち、金属製の端子の先端を、閉鎖板（４）の四角形状の２個の穴に入れると共に、入れた後、図中の矢印方向にずらしながら押すと、前記２個の穴はプラグ差込口（２）の四角形状の２個の穴に合致するものとなり、閉鎖板（４）が図６（ｂ）の２点鎖線の位置から矢印方向へずれて、前記端子はプラグ差込口（２）に差し込まれるのである。
【００１８】
一方、電源プラグをプラグ差込口（２）から外す場合は、電源プラグを引き上げることにより、端子はプラグ差込口（２）から外れると共に、端子が外れると、閉鎖板（４）はコイルスプリング（41）の弾性力によって自然に元の位置に戻され、プラグ差込口（２）は自動的に閉じられるのである。
【００１９】
次にＵＳＢプラグをＵＳＢポート（３）に差し込む場合について説明する。先ず始めに指でスライド板（５）を図中の矢印方向にずらすと、ＵＳＢポート（３）は開口されるので、ＵＳＢプラグをＵＳＢポート（３）に差し込んで使用すれば良い。一方、ＵＳＢプラグをＵＳＢポート（３）から外す場合は、ＵＳＢプラグを手で引き上げれば、ＵＳＢポート（３）から外すことが出来る。その後、指でスライド板（５）を元の位置にスライドして戻すことにより、ＵＳＢポート（３）は閉じるのである。
【００２０】
このようにプラグ差込口（２）は閉鎖板（４）によって常時閉じており、ＵＳＢポート（３）はスライド板（５）によって閉じることが出来るので、本考案品を用いれば、電子装置に対して電源を提供したり、充電させたりすることが出来るだけでなく、防塵効果や防水効果が得られ、更にはプラグ差込口（２）やＵＳＢポート（３）に、幼児が金属物を差し込むこともなくなるものとなる。
【符号の説明】
【００２１】
１  コンセント本体
1a  取付片
２  プラグ差込口
３  ＵＳＢポート
４  閉鎖板
41  コイルスプリング
５  スライド板
６  基盤
８  カバー
Ｋ  家具
【図１】
0003172236.tif 000003
【図２】
0003172236.tif 000004
【図３】
0003172236.tif 000005
【図４】
0003172236.tif 000006
【図５】
0003172236.tif 000007
【図６】
0003172236.tif 000008